(57)【要約】  【目的】  ペン先乾燥の抑制効果に優れ、筆跡の紙への浸透性に優れ、低温環境下での筆記安定性に優れた筆記具用水性インキ組成物に関するものである。  【構成】  水と、着色剤と、グリセリルグルコシドと、を少なくとも含む筆記具用水性インキ組成物。【選択図】  なし【特許請求の範囲】
【請求項１】
水と、着色剤と、グリセリルグルコシドと、を少なくとも含む筆記具用水性インキ組成物。
【請求項２】
前記グリセリルグルコシドがαグリセリルグルコシドであることを特徴とする請求項１に記載の筆記具用水性インキ組成物。
【請求項３】
請求項１または２に記載のインキを充填してなる筆記具において、ペン先が繊維収束体であることを特徴とする筆記具。
【発明の詳細な説明】
【技術分野】
【０００１】
本発明は、ペン先乾燥の抑制効果に優れ、筆跡の紙への浸透性に優れ、低温環境下での筆記安定性に優れた筆記具用水性インキ組成物に関するものである。
【背景技術】
【０００２】
従来、水性インキ組成物を充填してなる筆記具において、ペン先を外気にさらした状態で一定時間放置しているとペン先の溶剤分が蒸発し、水性インキ組成物中の固形分が濃縮してインキの流動性が悪化して筆跡がカスレたり、筆記不能となる、所謂ペン先乾燥が問題とされてきた。ペン先乾燥を抑制する手段として、インキ中に親水性の高い材料を用いて水分の蒸発を抑えることが知られている。
また、低温環境下でインキが凍結して筆記不能とならないためにインキ中に不凍液が使用されている。
【０００３】
特許文献１には、保湿剤または乾燥遅延剤として、グリセリンなどの水溶性有機溶剤、糖、糖アルコール、尿素などを含有するマーキング液が開示されている。
【０００４】
特許文献２は、水性ボールペンインキにおいて「グリコール類、グリセリン、グリコールエーテル類等の水溶性有機溶剤を用いることなく、水溶性有機溶剤の作用であったペン先の乾燥を防ぐ」として、「マルチトールを主成分とする還元糖、ソルビトールを主成分とする還元糖、還元デキストリン、還元マルトデキストリン、α−サイクロデキストリン、β−サイクロデキストリン、マルトシルサイクロデキストリンからなる群から選ばれた少なくとも一種」を使用する旨が記載されている。
【０００５】
特許文献３は、マーキング液としてペン先の乾燥を抑制する手段としては、保湿剤として「グリコール、例えばジグリコール（ジエチレングリコールなど）、又は尿素」を添加できる旨が記載されている。
【０００６】
特許文献４は、ペン先の耐ドライアッップを抑制するものとしてポリオキシプロピレンメチルグルコシドを含有するボールペン用水性インキが記載されている。
【０００７】
また、特許文献５には１，４−シクロヘキサンジメタノールを含有する水性インキ組成物がペン先でのインキ乾燥を抑制でき、筆記線の乾燥を速めることができることが記載されている。
【０００８】
特許文献６には、トリメチルグリシンとペンタエリスリトールを併用した水性インキ組成物が、ペン先の乾燥を抑制することと、筆跡の乾燥性、インキの低温安定性を両立させることができることについて記載されている。
【先行技術文献】
【特許文献】
【０００９】
【特許文献１】特表２００５−５１０５８０号公報
【特許文献２】特再公表平１１−２８３９８号公報
【特許文献３】特開２００４−５９９２７号公報
【特許文献４】特開２０１２−２３３０８４号公報
【特許文献５】特開２０００−３１９５７０号公報
【特許文献６】特開２０１６−１５１００３号公報
【発明の概要】
【発明が解決しようとする課題】
【００１０】
特許文献１に記載の発明で使用できるとしているグリセリンは、高粘度の溶剤であるので、ペン先乾燥を抑制するのに必要な量を添加するとインキの粘度が高くなりすぎてインキの流動性が下がり吐出し難くなることを招く恐れがある。また、同じく使用できるとしている尿素、グルコースなどは、常温で固体の保湿剤であり、ペン先に保湿剤の結晶物が析出する、所謂花咲きと呼ばれる現象が起きてしまう。花咲き現象が起きないように保湿剤の添加量を減らすと、ペン先乾燥の抑制効果が不十分となる。また、低温環境下ではインキ中の固形分が析出することなどに起因して、インキの粘度が上昇して流動性が損なわれ、筆記時のインキの吐出が低下して筆跡がカスレてしまう恐れがあった。
【００１１】
特許文献２〜６に記載の発明では、筆記時に外気に露出している面積が大きいマーキングペンのようなペン先や筆ペンのようなペン先では、ペン先乾燥を抑制する効果は十分とは言えない。また、低湿度環境下においては、ペン先からの溶剤蒸発は一般の使用環境下に比べ非常に早く、低湿環境下においても十分にペン先乾燥を抑制する効果が望まれる。
また、低温環境下では、インキが凍結してしまって筆記ができなくなってしまうものや、インキ中の固形分が析出することなどによる粘度上昇によって、筆記時のインキの流動性が損なわれ、吐出が低下して筆跡がカスレてしまう恐れがあった。
【００１２】
本件発明は、ペン先乾燥の抑制効果に優れ、筆跡の紙への浸透性に優れ、低温環境下での筆記安定性に優れた筆記具用水性インキ組成物を提供する事を目的とする。
【課題を解決するための手段】
【００１３】
即ち、本発明は、水と、着色剤と、グリセリルグルコシドと、を少なくとも含む筆記具用水性インキ組成物を第１の要旨とし、前記グリセリルグルコシドがαグリセリルグルコシドであることを特徴とする筆記具用水性インキ組成物を第２の要旨とし、第１の要旨または第２の要旨に記載のインキを充填してなる筆記具において、ペン先が繊維収束体であることを特徴とする筆記具を第３の要旨とする。
【発明の効果】
【００１４】
本発明の筆記具用水性インキ組成物は、ペン先乾燥の抑制効果に優れ、筆跡の表面が早く乾燥して筆跡を擦っても伸びず、低温環境下においても筆跡がカスレたり筆記不能となることが無いものである。
ペン先乾燥の抑制効果に優れ、筆跡の紙への浸透性が優れて早い理由としては、水とグリセリルグルコシドとの組合せが、インキ中の溶剤をペン先表面から蒸発することを防ぐため、グリセリルグルコシドが少量の添加でも、ペン先がマーキングペンのペン先や筆ペンのペン先のような外気に露出している面積が大きいペン先が繊維収束体の場合でも、ペン先乾燥を抑制する効果が優れ、また、グリセリルグルコシドの量を少量に抑えられ、その分溶媒を増やせることで、インキ組成物中の着色剤由来の固形分の上昇による増粘を極力抑えることができ、筆跡が紙面に速やかに浸透するため筆記の直後に着色成分が紙面に定着し、筆跡を擦っても伸びないものと推察される。更に、低温環境下において水とグリセリルグルコシドの存在によってインキの凍結によるインキ追従不良を防止可能となり、着色剤等の固形分の存在に関わらずペン先でのインキ追従性を維持することができるため低温環境下での筆記安定性が優れきれいな筆跡が得られる。
【発明を実施するための形態】
【００１５】
以下に発明を詳細に説明する。
【００１６】
本発明で使用したグリセリルグルコシドとは、グリセリンとグルコースがα結合で縮合したαグリセリルグルコシドと、β結合で縮合したβグリセリルグルコシドであり、マルトオリゴ糖とグリセリンの混合液にα−グルコシダーゼを作用させることで得られる酵素反応生成物であっても、グリセリンとグルコースの縮合反応によって得られる生成物であっても良い。
【００１７】
グリセリルグルコシドとしては、αグリセリルグルコシドとβグリセリルグルコシドが挙げられ、αグリセリルグルコシドがより好ましく、αグリセリルグルコシドの具体例としてαＧＧ、αＧＧ−Ｌ（以上、ＪＳＴ株式会社製）などが挙げられる。
これらのグリセリルグルコシドの添加量はインキ組成物全量に対し、０．５重量％以上３０．０重量％以下が好ましく、１．０重量％以上２０．０重量％以下がより好ましく、１．０重量％以上１０．０重量％以下が最も好ましい。これらのグリセリルグルコシドは、単独、あるいは２種以上混合して使用しても良い。
【００１８】
本発明で用いることができる水としては、水道水、地下水、イオン交換水、純水、超純水などが挙げられ、特に限定されることなく使用できる。
【００１９】
本発明で用いることができる着色剤は、特に制限されることなく染料、顔料が使用できる。
【００２０】
染料は、水溶性染料が使用できる。水溶性染料の具体的としては、直接染料、酸性染料、塩基性染料などが挙げられる。直接染料の具体例としては、ジャパノールファストブラックＤコンク（Ｃ．Ｉ．ダイレクトブラック１７）、ウォーターブラック１００Ｌ（同１９）、ウォーターブラックＬ−２００（同１９）、ダイレクトファストブラックＢ（同２２）、ダイレクトファストブラックＡＢ（同３２）、ダイレクトディープブラックＥＸ（同３８）、ダイレクトファストブラックコンク（同５１）、カヤラススプラグレイＶＧＮ（同７１）、カヤラスダイレクトブリリアントエローＧ（Ｃ．Ｉ．ダイレクトエロー４）、ダイレクトファストエロー５ＧＬ（同２６）、アイゼンプリムラエローＧＣＬＨ（同４４）、ダイレクトファストエローＲ（同５０）、アイゼンダイレクトファストレッドＦＨ（Ｃ．Ｉ．ダイレクトレッド１）、ニッポンファストスカーレットＧＳＸ（同４）、ダイレクトファストスカーレット４ＢＳ（同２３）、アイゼンダイレクトローデュリンＢＨ（同３１）、ダイレクトスカーレットＢ（同３７）、カヤクダイレクトスカーレット３Ｂ（同３９）、アイゼンプリムラピンク２ＢＬＨ（同７５）、スミライトレッドＦ３Ｂ（同８０）、アイゼンプリムラレッド４ＢＨ（同８１）、カヤラススプラルビンＢＬ（同８３）、カヤラスライトレッドＦ５Ｇ（同２２５）、カヤラスライトレッドＦ５Ｂ（同２２６）、カヤラスライトローズＦＲ（同２２７）、ダイレクトスカイブルー６Ｂ（Ｃ．Ｉ．ダイレクトブルー１）、ダイレクトスカイブルー５Ｂ（同１５）、スミライトスプラブルーＢＲＲコンク（同７１）、ダイボーゲンターコイズブルーＳ（同８６）、ウォーターブルー＃３（同８６）、カヤラスターコイズブルーＧＬ（同８６）、カヤラススプラブルーＦＦ２ＧＬ（同１０６）、カヤラススプラターコイズブルーＦＢＬ（同１９９）などが挙げられる。
酸性染料の具体例としては、アシッドブルーブラック１０Ｂ（Ｃ．Ｉ．アシッドブラック１）、ニグロシン（同２）、スミノールミリングブラック８ＢＸ（同２４）、カヤノールミリングブラックＶＬＧ（同２６）、スミノールファストブラックＢＲコンク（同３１）、ミツイナイロンブラックＧＬ（同５２）、アイゼンオパールブラックＷＨエクストラコンク（同５２）、スミランブラックＷＡ（同５２）、ラニルブラックＢＧエクストラコンク（同１０７）、カヤノールミリングブラックＴＬＢ（同１０９）、スミノールミリングブラックＢ（同１０９）、カヤノールミリングブラックＴＬＲ（同１１０）、アイゼンオパールブラックニューコンク（同１１９）、ウォーターブラック１８７−Ｌ（同１５４）、カヤクアシッドブリリアントフラビンＦＦ（Ｃ．Ｉ．アシッドエロー７：１）、カヤシルエローＧＧ（同１７）、キシレンライトエロー２Ｇ１４０％（同１７）、スミノールレベリングエローＮＲ（同１９）、ダイワタートラジン（同２３）、カヤクタートラジン（同２３）、スミノールファストエローＲ（同２５）、ダイアシッドライトエロー２ＧＰ（同２９）、スミノールミリングエローＯ（同３８）、スミノールミリングエローＭＲ（同４２）、ウォーターエロー＃６（同４２）、カヤノールエローＮＦＧ（同４９）、スミノールミリングエロー３Ｇ（同７２）、スミノールファストエローＧ（同６１）、スミノールミリングエローＧ（同７８）、カヤノールエローＮ５Ｇ（同１１０）、スミノールミリングエロー４Ｇ２００％（同１４１）、カヤノールエローＮＧ（同１３５）、カヤノールミリングエロー５ＧＷ（同１２７）、カヤノールミリングエロー６ＧＷ（同１４２）、スミトモファストスカーレットＡ（Ｃ．Ｉ．アシッドレッド８）、カヤクシルクスカーレット（同９）、ソーラールビンエクストラ（同１４）、ダイワニューコクシン（同１８）、アイゼンボンソーＲＨ（同２６）、ダイワ赤色２号（同２７）、スミノールレベリングブリリアントレッドＳ３Ｂ（同３５）、カヤシルルビノール３ＧＳ（同３７）、アイゼンエリスロシン（同５１）、カヤクアシッドローダミンＦＢ（同５２）、スミノールレベリングルビノール３ＧＰ（同５７）、ダイアシッドアリザリンルビノールＦ３Ｇ２００％（同８２）、アイゼンエオシンＧＨ（同８７）、ウォーターピンク＃２（同９２）、アイゼンアシッドフロキシンＰＢ（同９２）、ローズベンガル（同９４）、カヤノールミリングスカーレットＦＧＷ（同１１１）、カヤノールミリングルビン３ＢＷ（同１２９）、スミノオールミリングブリリアントレッド３ＢＮコンク（同１３１）、スミノールミリングブリリアントレッドＢＳ（同１３８）、アイゼンオパールピンクＢＨ（同１８６）、スミノールミリングブリリアントレッドＢコンク（同２４９）、カヤクアシッドブリリアントレッド３ＢＬ（同２５４）、カヤクアシッドブリリドブリリアントレッドＢＬ（同２６５）、カヤノールミリングレッドＧＷ（同２７６）、ミツイアシッドバイオレット６ＢＮ（Ｃ．Ｉ．アシッドバイオレット１５）、ミツイアシッドバイオレットＢＮ（同１７）、スミトモパテントピュアブルーＶＸ（Ｃ．Ｉ．アシッドブルー１）、ウォーターブルー＃１０６（同１）、パテントブルーＡＦ（同７）、ウォーターブルー＃９（同９）、ダイワ青色１号（同９）、スプラノールブルーＢ（同１５）、オリエントソルブルブルーＯＢＣ（同２２）、スミノールレベリングブルー４ＧＬ（同２３）、ミツイナイロンファストブルーＧ（同２５）、カヤシルブルーＡＧＧ（同４０）、カヤシルブルーＢＲ（同４１）、ミツイアリザリンサフィロールＳＥ（同４３）、スミノールレベリングスカイブルーＲエクストラコンク（同６２）、ミツイナイロンファストスカイブルーＢ（同７８）、スミトモブリリアントインドシアニン６Ｂｈ／ｃ（同８３）、サンドランシアニンＮ−６Ｂ３５０％（同９０）、ウォーターブルー＃１１５（同９０）、オリエントソルブルブルーＯＢＢ（同９３）、スミトモブリリアントブルー５Ｇ（同１０３）、カヤノールミリングウルトラスカイＳＥ（同１１２）、カヤノールミリングシアニン５Ｒ（同１１３）、アイゼンオパールブルー２ＧＬＨ（同１５８）、ダイワギニアグリーンＢ（Ｃ．Ｉ．アシッドグリーン３）、アシッドブリリアントミリンググリーンＢ（同９）、ダイワグリーン＃７０（同１６）、カヤノールシアニングリーンＧ（同２５）、スミノールミリンググリーンＧ（同２７）、などが挙げられる。
塩基性染料の具体例としては、アイゼンカチロンイエロー３ＧＬＨ（Ｃ．Ｉ．ベーシックイエロー１１）、アイゼンカチロンブリリアントイエロー５ＧＬＨ（同１３）、スミアクリルイエローＥ−３ＲＤ（同１５）、マキシロンイエロー２ＲＬ（同１９）、アストラゾンイエロー７ＧＬＬ（同２１）、カヤクリルゴールデンイエローＧＬ−ＥＤ（同２８）、アストラゾンイエロー５ＧＬ（同５１）、アイゼンカチロンオレンジＧＬＨ（Ｃ．Ｉ．ベーシックオレンジ２１）、アイゼンカチロンブラウン３ＧＬＨ（同３０）、ローダミン６ＧＣＰ（Ｃ．Ｉ．ベーシックレッド１）、アイゼンアストラフロキシン（同１２）、スミアクリルブリリアントレッドＥ−２Ｂ（同１５）、アストラゾンレッドＧＴＬ（同１８）、アイゼンカチロンブリリアントピンクＢＧＨ（同２７）、マキシロンレッドＧＲＬ（同４６）、アイゼンメチルバイオレット（Ｃ．Ｉ．ベーシックバイオレット１）、アイゼンクリスタルバイオレット（同３）、アイゼンローダミンＢ（同１０）、アストラゾンブルーＧ（Ｃ．Ｉ．ベーシックブルー１）、アストラゾンブルーＢＧ（同３）、メチレンブルー（同９）、マキシロンブルーＧＲＬ（同４１）、アイゼンカチロンブルーＢＲＬＨ（同５４）、アイゼンダイヤモンドグリーンＧＨ（Ｃ．Ｉ．ベーシックグリーン１）、アイゼンマラカイトグリーン（同４）、ビスマルクブラウンＧ（Ｃ．Ｉ．ベーシックブラウン１）などが挙げられる。これらの染料は、単独、あるいは２種以上混合して使用しても良い。
【００２１】
顔料の具体例としては、ファーネストブラック、コンタクトブラック、サーマルブラック、アセチレンブラックなどのカーボンブラック、黒色酸化鉄、黄色酸化鉄、赤色酸化鉄、群青、紺青、コバルトブルー、チタンイエロー、ターコイズ、モリブデートオレンジ、酸化チタン、金粉、銀粉、銅粉、アルミニウム粉、真鍮粉、錫粉、雲母系顔料、Ｃ．Ｉ．ＰＩＧＭＥＮＴ  ＲＥＤ  ２、同３、同５、同１７、同２２、同３８、同４１、同４８：２、同４８：３、同４９、同５０：１、同５３：１、同５７：１、同５８：２、同６０、同６３：１、同６３：２、同６４：１、同８８、同１１２、同１２２、同１２３、同１４４、同１４６、同１４９、同１６６、同１６８、同１７０、同１７６、同１７７、同１７８、同１７９、同１８０、同１８５、同１９０、同１９４、同２０６、同２０７、同２０９、同２１６、同２４５、Ｃ．Ｉ．ＰＩＧＭＥＮＴ  ＯＲＡＮＧＥ  ５、同１０、同１３、同１６、同３６、同４０、同４３、Ｃ．Ｉ．ＰＩＧＭＥＮＴ  ＶＩＯＬＥＴ  １９、同２３、同３１、同３３、同３６、同３８、同５０、Ｃ．Ｉ．ＰＩＧＭＥＮＴ  ＢＬＵＥ  ２、同１５、同１５：１、同１５：２、同１５：３、同１５：４、同１５：５、同１６、同１７、同２２、同２５、同６０、同６６、Ｃ．Ｉ．ＰＩＧＭＥＮＴ  ＢＲＯＷＮ  ２５、同２６、Ｃ．Ｉ．ＰＩＧＭＥＮＴ  ＹＥＬＬＯＷ  １、同３、同１２、同１３、同２４、同９３、同９４、同９５、同９７、同９９、同１０８、同１０９、同１１０、同１１７、同１２０、同１３９、同１５３、同１６６、同１６７、同１７３、Ｃ．Ｉ．ＰＩＧＭＥＮＴ  ＧＲＥＥＮ  ７、同１０、同３６、などが挙げられる。これらの顔料は、単独、あるいは２種以上混合して使用しても良い。
【００２２】
着色剤として顔料と染料を併用して用いることもできる。
【００２３】
着色剤に顔料を用いた場合は、顔料を安定に分散させるために分散剤を使用することもできる。分散剤として、従来一般に用いられている水溶性樹脂もしくは水可溶性樹脂や、アニオン系もしくはノニオン系の界面活性剤などの、顔料の分散剤として用いられるものを用いることができる。分散剤の具体例としては、高分子分散剤として、リグニンスルホン酸塩、セラックなどの天然高分子、ポリアクリル酸塩、スチレン−アクリル酸共重合物の塩、ビニルナフタレン−マレイン酸共重合物の塩、β−ナフタレンスルホン酸ホルマリン縮合物のナトリウム塩、リン酸塩、などの陰イオン性高分子やポリビニルアルコール、ポリエチレングリコールなどの非イオン性高分子などが挙げられる。また、界面活性剤の具体例としては、アルキル硫酸塩、ポリオキシエチレンアルキルエーテル硫酸塩、Ｎ−アシルアミノ酸およびその塩、Ｎ−アシルメチルタウリン塩、ポリオキシエチレンアルキルエーテル酢酸塩、アルキルスルホカルボン酸塩、α−オレフィンスルホン酸塩、アルキルリン酸塩、ポリオキシエチレンアルキルエーテルリン酸塩などの陰イオン界面活性剤、ポリオキシエチレンアルキルエーテル類、ソルビタンアルキルエステル類、ポリオキシエチレンソルビタンアルキルエステル類などの非イオン性界面活性剤、などが挙げられる。これらの水可溶性樹脂および界面活性剤の添加量は顔料１０．０重量％に対し、０．０５重量％以上２０．０重量％以下が好ましい。これらの水可溶性樹脂および界面活性剤は、単独、あるいは２種以上混合して使用しても良い。
【００２４】
また、顔料を水性媒体に分散した顔料分散体も用いることができる。顔料分散体
としては、無機顔料、有機顔料、蛍光顔料などが使用でき、具体例としては、ｕｎｉｓｐｅｒｓｅシリーズとして、同Ｇｒｅｅｎ  Ｇ−Ｓ、同Ｒｅｄ  ３ＲＳ−Ｅ２、同Ｒｅｄ  Ｃ２Ｂ−Ａｇｒｏ  ＲＳ、同Ｒｅｄ  Ｃ２Ｂ−Ａｇｒｏ  Ｓｙｎｇｅｎｔａ、同Ｙｅｌｌｏｗ  １０ＧＮ−Ｓ２（以上、ＢＡＳＦジャパン株式会社製）などが挙げられ、Ｈｏｓｔａｆｉｎｅシリーズとして、同Ｒｅｄ  ＦＧＲ、同Ｒｅｄ  ＨＦ３Ｓ、同Ｒｅｄ  Ｆ５ＲＫ  ＶＰ３２０４、同Ｒｅｄ  Ｐ２ＧＬ、同Ｒｕｂｉｎｅ  Ｆ６Ｂ、同Ｂｌａｃｋ  Ｔ  ３０、同Ｙｅｌｌｏｗ  ＨＲ、同Ｖｉｏｌｅｔ  ＲＬ、同Ｂｌｕｅ  Ｂ２Ｇ、同Ｙｅｌｌｏｗ  ＧＲ  ３０  ＶＰ  ５１７６、同Ｔｒａｎｓ  Ｏｘｉｄｅ  Ｒｅｄ  Ｂ  ３０、同Ｍａｇｅｎｔａ  Ｅ、同Ｇｒｅｅｎ  ＧＮ、同Ｂｌａｃｋ  ＴＳ  ３０、同Ｔｒａｎｓｏｘｉｄｅ  Ｒｅｄ  Ｂ  ３１  ＶＰ  ６０４５、同Ｔｒａｎｓ  Ｏｘｉｄｅ  Ｙｅｌｌｏｗ  Ｒ  ３０、同Ｙｅｌｌｏｗ  ＨＲ  ３０  ＶＰ  ６０２２、同Ｔｒａｎｓｏｘｉｄｅ  Ｙｅｌｌｏｗ  Ｒ  ３１  ＶＰ  ６０４３（以上、クラリアントジャパン株式会社製）などが挙げられ、ＦＡＳＴＯＧＥＮシリーズとして、同Ｂｌｕｅ  ４ＲＯ−２、同Ｂｌｕｅ  ５００３、同Ｂｌｕｅ  ＡＥ−８、同Ｂｌｕｅ  ＡＥ−８Ｋ、同Ｂｌｕｅ  ＡＲ−７、同Ｂｌｕｅ  ＢＲＦ、同Ｂｌｕｅ  ＣＡ５３８０、同Ｂｌｕｅ  ＦＡ５３７５、同Ｂｌｕｅ  ＦＡ５３８０、同Ｂｌｕｅ  ＬＡ５３８０、同Ｂｌｕｅ  ＰＡ５３８０、同Ｂｌｕｅ  ＲＳＫ、同Ｇｒｅｅｎ  ２ＹＫ、同Ｇｒｅｅｎ  ５７２０、同Ｇｒｅｅｎ  Ｓ、同Ｇｒｅｅｎ  ＳＦ、同Ｇｒｅｅｎ  ＳＭＦ−２、同Ｓｕｐｅｒ  Ｍａｇｅｎｔａ  Ｒ、同Ｓｕｐｅｒ  Ｍａｇｅｎｔａ  ＲＥ−０３、同Ｓｕｐｅｒ  Ｍａｇｅｎｔａ  ＲＥ−０５、同Ｓｕｐｅｒ  Ｍａｇｅｎｔａ  ＲＧ、同Ｓｕｐｅｒ  Ｍａｇｅｎｔａ  ＲＨ、同Ｓｕｐｅｒ  Ｍａｇｅｎｔａ  ＲＴＳ、同Ｓｕｐｅｒ  Ｍａｇｅｎｔａ  ＲＹ、同Ｓｕｐｅｒ  Ｒｅｄ  ２０９  ２２８−６７３６、同Ｓｕｐｅｒ  Ｒｅｄ  ２５４  ２２６−０２００、同Ｓｕｐｅｒ  Ｒｅｄ  ２５４  ２２６−５２５４、同Ｓｕｐｅｒ  Ｒｅｄ  ４００ＲＧ、同Ｓｕｐｅｒ  Ｒｅｄ  ５００ＲＧ、同Ｓｕｐｅｒ  Ｒｅｄ  ７０６１Ｂ、同Ｓｕｐｅｒ  Ｒｅｄ  ７０６４Ｂ、同Ｓｕｐｅｒ  Ｒｅｄ  ７１００Ｙ、同Ｓｕｐｅｒ  Ｒｅｄ  ＡＴＹ−０１、同Ｓｕｐｅｒ  Ｒｅｄ  ＡＴＹ−ＴＲ、同Ｓｕｐｅｒ  Ｒｅｄ  Ｂ  ｃｏｎｃ、同Ｓｕｐｅｒ  Ｒｅｄ  ＹＥ、同Ｓｕｐｅｒ  Ｓｃａｒｌｅｔ  ＧＫ、同Ｓｕｐｅｒ  Ｖｉｏｌｅｔ  ＲＮ、同Ｓｕｐｅｒ  Ｖｉｏｌｅｔ  ＲＮＳ、同Ｓｕｐｅｒ  Ｖｉｏｌｅｔ  ＲＮ−ＳＵ−０２、同Ｓｕｐｅｒ  Ｖｉｏｌｅｔ  ＲＺＥ、同Ｓｕｐｅｒ  Ｖｉｏｌｅｔ  ＲＺＳなどが挙げられ、ＰＡＬＯＭＡＲシリーズとして、同Ｔｕｒｑｕｏｉｓｅ  ２６４−４９００などが挙げられ、ＰＥＲＲＩＮＤＯシリーズとして、同Ｍａｒｏｏｎ  １７９  ２２９−６４２４、同Ｍａｒｏｏｎ  １７９  ２２９−６４３６、同Ｍａｒｏｏｎ  １７９  ２２９−６４３８、同Ｍａｒｏｏｎ  １７９  ２２９−６４４０、同Ｍａｒｏｏｎ  １７９  ２２９−６４５４、同Ｒｅｄ  ２２４  ２２９−６４２０、同Ｖｉｏｌｅｔ  ２９  ２２９−４０５０などが挙げられ、ＱＵＩＮＤＯシリーズとして、同Ｍａｇｅｎｔａ  ２０２  ２２８−６８４３、同Ｍａｇｅｎｔａ  ２０２  ２２８−６８５３、同Ｖｉｏｌｅｔ  １９  ２２８−１１１９などが挙げられ、ＳＹＭＵＬＥＲシリーズとして、同ＳＹＭＵＬＥＲ  Ｂｒｉｌｌｉａｎｔ  Ｃａｒｍｉｎｅ  ６Ｂ  ２２６、同ＳＹＭＵＬＥＲ  Ｂｒｉｌｌｉａｎｔ  Ｃａｒｍｉｎｅ  ６Ｂ  ２３３Ｓ、同ＳＹＭＵＬＥＲ  Ｂｒｉｌｌｉａｎｔ  Ｃａｒｍｉｎｅ  ６Ｂ  ２３６Ｓ、同ＳＹＭＵＬＥＲ  Ｂｒｉｌｌｉａｎｔ  Ｃａｒｍｉｎｅ  ６Ｂ  ２４３、同ＳＹＭＵＬＥＲ  Ｂｒｉｌｌｉａｎｔ  Ｃａｒｍｉｎｅ  ６Ｂ  ２４６、同ＳＹＭＵＬＥＲ  Ｂｒｉｌｌｉａｎｔ  Ｃａｒｍｉｎｅ  ６Ｂ  ３００、同ＳＹＭＵＬＥＲ  Ｂｒｉｌｌｉａｎｔ  Ｃａｒｍｉｎｅ  ６Ｂ  ３０３Ｓ、同ＳＹＭＵＬＥＲ  Ｂｒｉｌｌｉａｎｔ  Ｃａｒｍｉｎｅ  ６Ｂ  ３０６、同ＳＹＭＵＬＥＲ  Ｂｒｉｌｌｉａｎｔ  Ｃａｒｍｉｎｅ  ６Ｂ  ３０８、同ＳＹＭＵＬＥＲ  Ｂｒｉｌｌｉａｎｔ  Ｃａｒｍｉｎｅ  ６Ｂ  ３１３Ｓ、同ＳＹＭＵＬＥＲ  Ｂｒｉｌｌｉａｎｔ  Ｃａｒｍｉｎｅ  ６Ｂ  ３５０Ｋ、同ＳＹＭＵＬＥＲ  Ｂｒｉｌｌｉａｎｔ  Ｃａｒｍｉｎｅ  ６Ｂ  ３９２、同ＳＹＭＵＬＥＲ  Ｂｒｉｌｌｉａｎｔ  Ｃａｒｍｉｎｅ  ６Ｂ  ３９３、同ＳＹＭＵＬＥＲ  Ｂｒｉｌｌｉａｎｔ  Ｃａｒｍｉｎｅ  ６Ｂ  ３９７、同ＳＹＭＵＬＥＲ  Ｂｒｉｌｌｉａｎｔ  Ｃａｒｍｉｎｅ  ６Ｂ  ４００Ｓ、同ＳＹＭＵＬＥＲ  Ｂｒｉｌｌｉａｎｔ  Ｃａｒｍｉｎｅ  ６Ｂ  ４０１、同ＳＹＭＵＬＥＲ  Ｂｒｉｌｌｉａｎｔ  Ｃａｒｍｉｎｅ  ６Ｂ  ４１２Ｗ、同ＳＹＭＵＬＥＲ  Ｂｒｉｌｌｉａｎｔ  Ｃａｒｍｉｎｅ  ６Ｂ  ４１３Ｗ、同ＳＹＭＵＬＥＲ  Ｆａｓｔ  Ｏｒａｎｇｅ  Ｇ、同ＳＹＭＵＬＥＲ  Ｆａｓｔ  Ｏｒａｎｇｅ  Ｋ、同ＳＹＭＵＬＥＲ  Ｆａｓｔ  Ｏｒａｎｇｅ  Ｖ、同ＳＹＭＵＬＥＲ  Ｆａｓｔ  Ｒｅｄ  ４１３４Ａ、同ＳＹＭＵＬＥＲ  Ｆａｓｔ  Ｒｅｄ  ４１３４Ｓ、同ＳＹＭＵＬＥＲ  Ｆａｓｔ  Ｒｅｄ  ４５８０、同ＳＹＭＵＬＥＲ  Ｆａｓｔ  Ｒｅｄ  ４５８６、同ＳＹＭＵＬＥＲ  Ｆａｓｔ  Ｒｅｄ  ４６０１、同ＳＹＭＵＬＥＲ  Ｆａｓｔ  Ｒｅｄ  ４６０８、同ＳＹＭＵＬＥＲ  Ｆａｓｔ  Ｒｅｄ  ４６１０、同ＳＹＭＵＬＥＲ  Ｆａｓｔ  Ｒｅｄ  ＢＲ  ４５９８、同ＳＹＭＵＬＥＲ  Ｆａｓｔ  Ｙｅｌｌｏｗ  ４０５９Ｇ、同ＳＹＭＵＬＥＲ  Ｆａｓｔ  Ｙｅｌｌｏｗ  ４０９０Ｇ、同ＳＹＭＵＬＥＲ  Ｆａｓｔ  Ｙｅｌｌｏｗ  ４１９２、同ＳＹＭＵＬＥＲ  Ｆａｓｔ  Ｙｅｌｌｏｗ  ４ＧＯ、同ＳＹＭＵＬＥＲ  Ｆａｓｔ  Ｙｅｌｌｏｗ  ５ＧＦ、同ＳＹＭＵＬＥＲ  Ｆａｓｔ  Ｙｅｌｌｏｗ  ８ＧＦ、同ＳＹＭＵＬＥＲ  Ｆａｓｔ  Ｙｅｌｌｏｗ  ８ＧＴＦ、同ＳＹＭＵＬＥＲ  Ｆａｓｔ  Ｙｅｌｌｏｗ  ＢＹ  ２０００ＧＴ、同ＳＹＭＵＬＥＲ  Ｆａｓｔ  Ｙｅｌｌｏｗ  ＧＦｃｏｎｃ、同ＳＹＭＵＬＥＲ  Ｆａｓｔ  Ｙｅｌｌｏｗ  ＧＦｃｏｎｃＰ、同ＳＹＭＵＬＥＲ  Ｆａｓｔ  Ｙｅｌｌｏｗ  ＧＲＦ、同ＳＹＭＵＬＥＲ  Ｆａｓｔ  Ｙｅｌｌｏｗ  ＮＩＦ、同ＳＹＭＵＬＥＲ  Ｌａｋｅ  Ｒｅｄ  Ｃｃｏｎｃ２１０、同ＳＹＭＵＬＥＲ  Ｒｅｄ  ２ＢＹ、同ＳＹＭＵＬＥＲ  Ｒｅｄ  ３０１３、同ＳＹＭＵＬＥＲ  Ｒｅｄ  ３０１３Ｐ、同ＳＹＭＵＬＥＲ  Ｒｅｄ  ３０１４、同ＳＹＭＵＬＥＲ  Ｒｅｄ  ３０７０、同ＳＹＭＵＬＥＲ  Ｒｅｄ  ３０７５、同ＳＹＭＵＬＥＲ  Ｒｅｄ  ３１１１、同ＳＹＭＵＬＥＲ  Ｒｅｄ  ３１２３、同ＳＹＭＵＬＥＲ  Ｒｅｄ  ＮＲＹなどが挙げられ、ＲＹＵＤＹＥ−Ｗシリーズとして、同ＹＥＬＬＯＷ  ＫＧＲ、同ＹＥＬＬＯＷ  ＦＲＴ−Ｋ、同ＯＲＡＮＧＥ  ＦＫＳ、同ＳＣＡＲＬＥＴ  Ｆ３Ｇ、同ＲＥＤ  ＦＢＹ、同ＶＩＯＬＥＴ  ＦＦＢＮ、同ＢＬＵＥ  ＧＬＫ、同ＧＲＥＥＮ  ＦＢＴ、同ＢＲＯＷＮ  ＦＦＭ、同ＢＬＡＣＫ  ＲＣ、同ＹＥＬＬＯＷ  ＦＦ７Ｇ、同ＹＥＬＬＯＷ  ＦＦ３Ｒ、同ＯＲＡＮＧＥ  ＦＦ２Ｒ、同ＲＥＤ  ＦＦＧＲ、同ＶＩＯＬＥＴ  ＦＦＢＮ、同ＢＬＵＥ  ＧＬＫ、同ＧＲＥＥＮ  ＦＢＴ、同ＢＲＯＷＮ  ＦＦＲ、同ＢＬＡＣＫ  ＲＣ、同ＹＥＬＬＯＷ  ＫＧ、同ＧＯＬＤ  ＹＥＬＬＯＷ  ＦＦＲ、同ＯＲＡＮＧＥ  ＦＫＶ、同ＳＣＡＲＬＥＴ  Ｆ３Ｇ、同ＲＥＤ  ＧＣＬ、同ＶＩＯＬＥＴ  ＦＮ、同ＢＬＵＥ  ＲＣ、同ＧＲＥＥＮ  Ｓ  ＣＯＮＣ、同ＢＲＯＷＮ  ＧＤＲ、同ＢＬＡＣＫ  ＷＴ、同ＹＥＬＬＯＷ  ＦＦ４Ｇ、同ＹＥＬＬＯＷ  ＦＦＲＧ、同ＯＲＡＮＧＥ  ＦＦＹＲ、同ＲＥＤ  ＦＦ２Ｇ、同ＶＩＯＬＥＴ  ＦＮ、同ＢＬＵＥ  ＲＣ、同ＧＲＥＥＮ  Ｓ  ＣＯＮＣ、同ＢＲＯＷＮ  ＦＦＲ、同ＢＬＡＣＫ  ＷＴ（以上、ＤＩＣ株式会社製）などが挙げられ、Ｆｕｊｉ  ＳＰシリーズとして、同Ｂｌａｃｋ  ８０３１、同Ｂｌａｃｋ  ８０４１、同Ｂｌａｃｋ  ８１１９、同Ｂｌａｃｋ  ８１６７、同Ｂｌａｃｋ  ８２７６、同Ｂｌａｃｋ  ８３８１、同Ｂｌａｃｋ  ８４０６、同Ｒｅｄ  ５０９６、同Ｒｅｄ  ５１１１、同Ｒｅｄ  ５１９３、同Ｒｅｄ  ５２２０、同Ｂｏｒｄｅａｕｘ  ５５００、同Ｂｌｕｅ  ６０６２、同Ｂｌｕｅ  ６４７４、同Ｂｌｕｅ  ６１３３、同Ｂｌｕｅ  ６１３４、同Ｂｌｕｅ  ６４０１、同Ｂｌｕｅ  ６５５５、同Ｂｌｕｅ  ６４７４、同Ｇｒｅｅｎ  ７０５１、同Ｙｅｌｌｏｗ  ４０６０、同Ｙｅｌｌｏｗ  ４３６０、同Ｙｅｌｌｏｗ  ４１７８、同Ｖｉｏｌｅｔ  ９０１１、同Ｖｉｏｌｅｔ  ９６０２、同ＦｕｊｉＳＰ  Ｐｉｎｋ  ９５２４、同Ｐｉｎｋ  ９５２７、同Ｏｒａｎｇｅ  ５３４、同Ｐｉｎｋ  ６３６、同Ｐｉｎｋ  ９４２９、同Ｂｒｏｗｎ  ３０７４、同ＲＥＤ  ５５４３、同ＲＥＤ  ５６５７、同ＲＥＤ  ５６５３、同ＲＥＤ  ５５４４（以上、冨士色素株式会社製）などが挙げられ、Ｅｍａｃｏｌシリーズとして、同Ｂｌａｃｋ  ＣＮ、同Ｂｌｕｅ  ＦＢＢ、同Ｂｌｕｅ  ＦＢ、同Ｂｌｕｅ  ＫＲ、同Ｇｒｅｅｎ  ＬＸＢ、同Ｖｉｏｌｅｔ  ＢＬ、同Ｂｒｏｗｎ３１０１、同Ｃａｒｍｍｉｎｅ  ＦＢ、同ＲｅｄＢＳ、同Ｏｒａｎｇｅ  Ｒ、同Ｙｅｌｌｏｗ  ＦＤ、同Ｙｅｌｌｏｗ  ＩＲＮ、同Ｙｅｌｌｏｗ  ３６０１、同Ｙｅｌｌｏｗ  ＦＧＮ、同Ｙｅｌｌｏｗ  ＧＮ、同Ｙｅｌｌｏｗ  ＧＧ、同Ｙｅｌｌｏｗ  Ｆ５Ｇ、同Ｙｅｌｌｏｗ  Ｆ７Ｇ、同Ｙｅｌｌｏｗ  １０ＧＮ、同Ｙｅｌｌｏｗ  １０Ｇなどが挙げられ、Ｓａｎｄｙｅシリーズとして、同Ｓｕｐｅｒ  Ｂｌａｃｋ  Ｋ、同Ｓｕｐｅｒ  Ｂｌａｃｋ  Ｃ、同Ｓｕｐｅｒ  Ｇｒｅｙ  Ｂ、同Ｓｕｐｅｒ  Ｂｒｏｗｎ  ＳＢ、同Ｓｕｐｅｒ  Ｂｒｏｗｎ  ＦＲＬ、同Ｓｕｐｅｒ  Ｂｒｏｗｎ  ＲＲ、同Ｓｕｐｅｒ  Ｇｒｅｅｎ  Ｌ５Ｇ、同Ｓｕｐｅｒ  Ｇｒｅｅｎ  ＧＸＢ、同Ｓｕｐｅｒ  Ｎａｖｙ  Ｂｌｕｅ  ＨＲＬ、同Ｙｅｌｌｏｗ  Ｓｕｐｅｒ  Ｎａｖｙ  Ｂｌｕｅ  ＧＬＬ、同Ｙｅｌｌｏｗ  Ｓ���ｐｅｒ  Ｎａｖｙ  Ｂｌｕｅ  ＨＢ、同Ｙｅｌｌｏｗ  Ｓｕｐｅｒ  Ｎａｖｙ  Ｂｌｕｅ  ＦＢＬ−Ｈ、同Ｙｅｌｌｏｗ  Ｓｕｐｅｒ  Ｎａｖｙ  Ｂｌｕｅ  ＦＢＬ−１６０、同Ｙｅｌｌｏｗ  Ｓｕｐｅｒ  Ｎａｖｙ  Ｂｌｕｅ  ＦＢＢ、同Ｓｕｐｅｒ  Ｖｉｏｌｅｔ  ＢＬ  Ｈ／Ｃ、同Ｓｕｐｅｒ  Ｖｉｏｌｅｔ  ＢＬ、同Ｓｕｐｅｒ  Ｂｏｒｄｅａｕｘ  ＦＲ、同Ｓｕｐｅｒ  Ｐｉｎｋ  ＦＢＬ、同Ｓｕｐｅｒ  Ｐｉｎｋ  Ｆ５Ｂ、同Ｓｕｐｅｒ  Ｒｕｂｉｎｅ  ＦＲ、同Ｓｕｐｅｒ  Ｃａｒｍｍｉｎｅ  ＦＢ、同Ｓｕｐｅｒ  Ｒｅｄ  ＦＦＧ、同Ｓｕｐｅｒ  Ｒｅｄ  ＲＲ、同Ｓｕｐｅｒ  Ｒｅｄ  ＢＳ、同Ｓｕｐｅｒ  Ｒｅｄ  １３１５、同Ｓｕｐｅｒ  Ｏｒａｎｇｅ  ＦＬ、同Ｓｕｐｅｒ  Ｏｒａｎｇｅ  Ｒ、同Ｓｕｐｅｒ  Ｏｒａｎｇｅ  ＢＯ、同Ｇｏｌｄ  Ｙｅｌｌｏｗ  ５ＧＲ、同Ｇｏｌｄ  Ｙｅｌｌｏｗ  Ｒ、同Ｇｏｌｄ  Ｙｅｌｌｏｗ  ３Ｒ、同Ｙｅｌｌｏｗ  ＧＧ、同Ｙｅｌｌｏｗ  Ｆ３Ｒ、同Ｙｅｌｌｏｗ  ＩＲＣ、同Ｙｅｌｌｏｗ  ＦＧＮ、同Ｙｅｌｌｏｗ  ＧＮ、同Ｙｅｌｌｏｗ  ＧＲＳ、同Ｙｅｌｌｏｗ  ＧＳＲ−１３０、同Ｙｅｌｌｏｗ  ＧＳＮ−１３０、同Ｙｅｌｌｏｗ  ＧＳＮ、同Ｙｅｌｌｏｗ  １０ＧＮ（以上、山陽色素株式会社製）などが挙げられ、ＭＩＣＲＯＰＩＧＭＯシリーズとして、同ＡＭＢＥ−４、同ＡＭＢＥ−８、同ＡＭＢＫ−２、同ＡＭＢＫ−８、同ＡＭＧＮ−２、同ＡＭＧＮ−６、同ＡＭＧＮ−８、同ＡＭＶＴ−２、同ＡＭＲＤ−２、同ＡＭＲＤ−８、同ＡＭＯＥ−６、同ＷＭＢＥ−５、同ＷＭＢＫ−５、同ＷＭＧＮ−６、同ＷＭＲＤ−５、同ＷＭＲＤ−８、同ＷＭＶＴ−５、同ＷＭＷＥ−１、同ＷＭＹＷ−５、同ＷＭＹＷ−６などが挙げられ、ＢＯＮＪＥＴシリーズとして、同ＢＬＡＣＫ  ＣＷ−１、同ＢＬＡＣＫ  ＣＷ−１Ｓ、同ＢＬＡＣＫ  ＣＷ−２、同ＢＬＡＣＫ  Ｍ−８００（以上、オリヱント化学工業株式会社製）などが挙げられ、Ｒｉｏ  Ｆａｓｔシリーズとして、同Ｂｌａｃｋ  Ｆｘ  ８０１２、同Ｂｌａｃｋ  Ｆｘ  ８３１３、同Ｂｌａｃｋ  Ｆｘ  ８１６９、同Ｒｅｄ  Ｆｘ  ８２０
９、同Ｒｅｄ  Ｆｘ  ８１７２、同Ｒｅｄ  Ｓ  Ｆｘ  ８３１５、同Ｒｅｄ  Ｓ  Ｆｘ  ８３１６、同Ｂｌｕｅ  Ｆｘ  ８１７０、同Ｂｌｕｅ  Ｆｘ  ８１７０、同Ｂｌｕｅ  Ｓ  Ｆｘ  ８３１２、同Ｇｒｅｅｎ  Ｓ  Ｆｘ  ８３１４などが挙げられ、ＥＭＦカラーシリーズとして、同イエロー３Ｇ、同オレンジＯ、同レッドＨＦＢ、同レッドＨＲ、同ブルーＨＧ、同バイオレットＨＢ（以上、トーヨーカラー株式会社製）などが挙げられ、ポルックスカラーシリーズとして、同ＰＣ５Ｔ１０２０、同ブラックＰＣ８Ｔ１３５、同レッドＩＴ１０３０（以上、住化カラー株式会社製）などが挙げられ、ビクトリアシリーズとして、同イエロー  Ｇ−１１、同イエロー  Ｇ−２０、同オレンジ  Ｇ−１６、同オレンジ  Ｇ−２１、同レッド  Ｇ−１９、同レッド  Ｇ−２２、同ピンク  Ｇ−１７、同ピンク  Ｇ−２３、同グリーン  Ｇ−１８、同グリーン  Ｇ−２４、同ブルー  Ｇ−１５、同ブルー  Ｇ−２５（以上、御国色素株式会社製）などが挙げられる。
蛍光顔料の顔料分散体の具体例としては、ＮＫＷ−３９００Ｅシリーズとして、同３９０３Ｅ、同３９２６Ｅ、同３９０４Ｅ、同３９０５Ｅ、同３９０２Ｅ、同３９０８Ｅ、同３９３８Ｅ、同３９７７Ｅ、同３９４７Ｅ、同３９０７Ｅなどが挙げられ、ＮＫＷ−３２００Ｅシリーズとして、同３２０３Ｅ、同３２２６Ｅ、同３２０４Ｅ、同３２０５Ｅ、同３２１５Ｅ、同３２０２Ｅ、同３２０８Ｅ、同３２７７Ｅ、同３２０７Ｅなどが挙げられ、ＮＫＷ−６０００Ｅシリーズとして、同６０１３Ｅ、同６００４Ｅ、同６００５Ｅ、同６００２Ｅ、同６００８Ｅ、同６０３８Ｅ、同６０４７Ｅ、同６００７Ｅなどが挙げられ、ＮＫＷ−Ｃ２１００Ｅシリーズとして、同Ｃ２１０３Ｅ、同Ｃ２１０４Ｅ、同Ｃ２１０５Ｅ、同Ｃ２１０２Ｅ、同Ｃ２１０８Ｅ、同Ｃ２１６７Ｅ、同Ｃ２１４７Ｅ、同Ｃ２１１７Ｅなどが挙げられ、ＮＫＷ−２１００Ｅシリーズとして、同２１０３Ｅ、同２１０１Ｅ、同２１０４Ｅ、同２１０６Ｅ、同２１０５Ｅ、同２１０２Ｅ、同２１０８Ｅ、同２１６７Ｅ、同２１３７Ｅ、同２１２７Ｅ、同２１１７Ｅ、同２１０７Ｅ、同２１０９Ｅなどが挙げられ、ＮＫＷ−７０００Ｅシリーズとして、同７００２Ｅ、同７０１２Ｅ、同７０５２Ｅ、同７００３Ｅ、同７００４Ｅ、同７００５Ｅ、同７０２６Ｅ、同７０１７Ｅ、同７０４７Ｅ、同７０６７Ｅ、同７００８Ｅ、同７０３８Ｅなどが挙げられ、ＮＫＷ−７５００Ｅシリーズとして、同７５０２Ｅ、同７５１７Ｅ、同７５７７Ｅ、同７５１８Ｅなどが挙げられ、ＮＫＷ−Ａ−３００Ｅシリーズとして、同３０３Ｅ、同３０１Ｅ、同３０４Ｅ、同３０５Ｅ、同３０２Ｅ、同３０８Ｅ、同３６７Ｅ、同３４７Ｅ、同３０７Ｅ（以上、日本蛍光化学株式会社製）などが挙げられ、シンロイヒカラーＳＦ−３０００Ｎシリーズとして、同３０２２Ｎ、同３０１４Ｎ、同３０１５Ｎ、同３０１７Ｎ、同３０３７Ｎ、同３０３８Ｎなどが挙げられ、シンロイヒカラーＳＦ−５０００シリーズとして、同５０１２、同５０１３、同５０１４、同５０１５、同５０１７、同５０２７、同５０３７、同５０１８などが挙げられ、シンロイヒカラーＳＦ−８０００シリーズとして、同８０１２、同８０１４、同８０１５、同８０１７、同８０３７、同８０２８などが挙げられ、シンロイヒカラーＳＰ−１０シリーズとして、同１３、同１４、同１５、同１６、同１７、同２７、同３７、同４７などが挙げられ、シンロイヒカラーＳＷ−１００シリーズとして、同１１１、同１１２、同１１３、同１１４、同１１５、同１１６、同１０７、同１１７、同１２７、同１３７、同１４７、同１２８（以上、シンロイヒ株式会社製）などが挙げられる。
これらの顔料分散体は、単独、あるいは２種以上混合して使用しても良い。ただし、着色された樹脂粒子を着色剤として用いる場合は、樹脂粒子が有機溶剤に溶解しないものを用いる。
【００２５】
着色剤に顔料や油性染料を用いることで、筆跡の耐水性を備えるものとすることもでき、顔料のみを用いることで筆跡の耐光性を備えるものとすることができる。
【００２６】
本発明で使用する着色剤以外に、色味を調整するために樹脂粒子やワックス粒子、樹脂エマルションのような無色粒子を用いることができる。中でも酸化ポリエチレンワックス粒子を用いることで筆跡の裏移りを同時に抑制することができる。
【００２７】
着色剤、無色粒子に限らず、本発明のインキ組成物中の固形分濃度を２５重量％以上にすることで筆跡の裏移りを抑制することができるため好ましい。
また、酸化ポリエチレンワックス粒子を用いるとインキ組成物中の固形分濃度が２５重量％以下であっても筆跡の裏移りを抑制でき、酸化ポリエチレンワックス粒子の含有量は、インキ組成物全量に対し、０．１重量％以上５０．０重量％以下が好ましく、より好ましくは０．５重量％以上２３．０重量％以下であり、最も好ましくは１．０重量％以上１５．０重量％以下である。
【００２８】
本発明において、顔料を分散するには一般的な方法が使用可能である。
例えば、顔料と、溶媒と、分散剤とを混合し、プロペラ撹拌機等で均一に撹拌した後、分散機で顔料を分散する。分散機の具体例としては、ロールミル、ボールミル、サンドミル、ビーズミル、ヘンシェルミキサー、ホモジナイザー、高圧ホモジナイザー、ニーダーなどが挙げられる。使用する分散機の種類は、インキの溶媒量や、顔料濃度などによって適宜選択できる。
また、これらの分散する工程において、発生した分散熱をそのまま利用して撹拌したり、熱をかけたり、冷却したり、加圧したり、減圧したり、不活性ガス雰囲気中で撹拌することができる。脱泡機による泡の除去やろ過機による粗大物のろ過等を必要に応じて行っても良い。更に、多糖類の分散性を十分にするためにインキ調整後に加熱処理工程及び／又は冷却処理工程を行っても良い。
これらの混合、分散、ろ過、加熱、冷却、加圧、減圧、不活性ガス雰囲気とすることなどは、それぞれ単独で行ってもよく、あるいは、２種以上の工程を同時に行ってもよい。
【００２９】
本発明において、水溶性有機溶剤を用いることができる。
本発明における水溶性有機溶剤とは、水１００ｇに対して１０ｇ以上溶解することのできる有機溶剤を指す。
【００３０】
水溶性有機溶剤の具体例としては、多価アルコールとして、グリセリン、ジグリセリン、トリグリセリン、テトラグリセリン、ヘキシレングリコール、チオジエチレングリコール、１，２，６−ヘキサントリオール、トリメチロールプロパン、エチレングリコール、プロピレングリコール、ジエチレングリコール、トリエチレングリコール、テトラエチレングリコール、ペンタエチレングリコール、ジプロピレングリコール、トリプロピレングリコール、２−ブテン−１，４−ジオール、２−エチル−１，３−ヘキサンジオール、２−メチル−２，４−ペンタンジオール、１，２−オクタンジオール、１，２−ヘキサンジオール、１，２−ペンタンジオール、４−メチル−１，２−ペンタンジオール、１，３−ブタンジオール、２，３−ブタンジオール、１，４−ブタンジオール、３−メチル−１，３−ブタンジオール、１，３−プロパンジオール、１，４−ブタンジオール、１，５−ペンタンジオール、１，６−ヘキサンジオール、１，２，４−ブタントリオール、等が挙げられ、１価のアルコールとして、エタノール、メタノール、ブタノール、プロパノール、イソプロパノールなどの炭素数１〜４のもの、などが挙げられ、グリコールエーテルとしては、エチレングリコールモノメチルエーテル、エチレングリコールモノエチルエーテル、エチレングリコールモノブチルエーテル、エチレングリコールジメチルエーテル、エチレングリコールジエチルエーテル、エチレングリコールエチルメチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、ジエチレングリコールジメチルグリコール、ジエチレングリコールエチルメチルエーテル、ジエチレングリコールジエチルエーテル、トリエチレングリコールジメチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテル、ジプロピレングリコールジメチルエーテル、などが挙げられ、環状構造を持つ水溶性有機溶剤としては、１，３−ジオキソラン、１，４−ジオキソラン、テトラヒドロフラン、２−メチルテトラヒドロフラン、２−ピロリドン、Ｎ−メチル−２−ピロリドン、Ｎ−エチル−２−ピロリドン、Ｎ−プロピル−２−ピロリドン、Ｎ−ブチル−２−ピロリドン、Ｎ−シクロヘキシル−２−ピロリドン、スルホラン、γ−ブチロラクトン、１，３−ジメチル−２−イミダゾリジノン、炭酸エチレン���炭酸プロピレン、などが挙げられ、その他としては、ホルムアミド、アセトアミド、ジメチルスルホキシド、アセチン、ジアセチン、トリアセチン、などが挙げられる。
これらの水溶性有機溶剤の中でも、筆跡の紙への浸透性とペン先乾燥抑制の観点から、グリコールエーテルや環状構造を持つ水溶性有機溶剤が好ましく、環状構造を持つ水溶性有機溶剤がより好ましい。
また、これらの水溶性有機溶剤の中でも、グリコールエーテル及び／または環状構造を持つ水溶性有機溶剤と多価アルコールとを併用することで、グリセリルグルコシドと水溶性有機溶剤との相互作用によって、ペン先乾燥の抑制と筆跡の紙への浸透性が一層向上するため好ましい。
【００３１】
これらの水溶性有機溶剤の添加量は、筆記具用水性インキ組成物全量に対し０．１重量％以上５０．０重量％以下が好ましく、５．０重量％以上２０．０重量％以下がより好ましい。これらの水溶性有機溶剤は、単独、あるいは２種以上混合して使用しても良い。
【００３２】
本発明における筆記具用水性インキ組成物は、マーキングペン、筆ペンなどのペン先が繊維収束体を用いる筆記具や、ボールペンなど、使用する形態によって適宜粘度を調整することができる。
【００３３】
本発明における繊維収束体のペン先とは、マーキングペンのペン先に用いられる合成繊維芯やフェルト芯であったり、筆ペンに用いられるような繊維を束ねたペン先のことを指す。
【００３４】
合成繊維芯とは、アクリル、ポリエステル、ナイロン、メラミン、ウレタン樹脂を単独、あるいは２種以上混合して作製した繊維を原糸として、熱成形を行い、樹脂を含浸させて乾燥・硬化をした後に適当な長さに切断して適宜加熱工程を行った後に研磨を行ってペン先の形に成形したものを指し、フェルト芯とは主にウール（羊毛）などの獣毛や縮巻状の合成繊維などの単繊維をフェルト生地状に加工したものに樹脂を含浸させて乾燥・硬化をした後にプレス成形を行い、短冊状にカットし、ペン先の形に打ち抜きを行ったものや、アクリル、ポリエステルなどの繊維をフェルト生地状にしたものにプレス成形を行い、短冊状にカットし、ペン先の形に打ち抜きを行ったものを指す。
【００３５】
本発明の筆記具用水性インキ組成物を、マーキングペンや筆ペンのような、ペン先が繊維収束体とする形態で使用する場合は、筆記具用水性インキ組成物の粘度が測定温度２５℃、剪断速度７６．６ｓ−１において１．０ｍＰａ・ｓ以上５０．０ｍＰａ・ｓ以下であることが好ましく、１．０ｍＰａ・ｓ以上２０．０ｍＰａ・ｓ以下がより好ましい。
【００３６】
本発明の筆記具用水性インキ組成物を、ボールペンの形態で使用する場合や、繊維収束体などに保持させずにインキ収容管に直接、自由状態でインキを収容して使用する場合は、インキ粘度が測定温度２５℃、剪断速度１ｓ−１において５００ｍＰａ・ｓ以上、剪断速度２５００ｓ−１において１００ｍＰａ・ｓ以下となるように調整するのが、インキの漏れ防止や良好な書き味を得るために好ましい。
【００３７】
筆記具用水性インキ組成物の粘度を調整するために粘度調整剤を用いることができる。粘度調整剤の具体例としては、ＨＰＣ−ＳＬ、ＨＰＣ−Ｌ、ＨＰＣ−Ｍ、ＨＰＣ−Ｈ（以上、ヒドロキシプロピルセルロース、日本曹達株式会社製）、セオラスＳＣ−９００、セオラスＳＣ−９００Ｓ、セオラスＲＣ５９１Ｓ、セオラスＲＣ−Ｎ８１、セオラスＲＣ−Ｎ３０、セオラスＣＬ−６１１Ｓ、セオラスＤＸ−２、セオラスＤＸ−３，セオラスＵＦ−Ｆ７１１、セオラスＵＦ−Ｆ７０２、セオラスＳＴ−１００、セオラスＳＴ−０２、セオラスＦＤ−１０１，セオラスＦＤ−３０１、セオラスＦＤ−Ｆ２０、セオラスファイバーＤＦ−１７（以上、結晶セルロース、旭化成株式会社製）などのセルロース類、ケルザン、ケルザンＳ、ケルザンＴ、ケルザンＳＴ、ケルザンＡＳＸ、ケルザンＡＲ、ケルザンＨＰ、ケルザンＧ、ケトロールＣＧ、ケトロールＣＧ−Ｔ、ケトロールＣＧ−ＳＦＴ（以上、三晶株式会社製）、サンエース、サンエースＳ、サンエースＣ、サンエースＣ−Ｓ、サンエースＢ−Ｓ、サンエースＮＦ、サンエースＧ、サンエースＥ−Ｓ、サンエースＮＸＧ−Ｓ、サンエースＮＸＧ−Ｃ、ビストップＤ−３０００−ＤＦ、ビストップＤ−３０００−ＤＦ−Ｃ（以上、三栄源エフ・エス・アイ株式会社製）、コージン、コージンＦ、コージンＴ、コージンＫ（以上、株式会社興人製）などのキサンタンガム、レオザン（サクシノグルカン、三晶株式会社製）、Ｋ１Ａ９６、ＢＧ３８１０（以上、三晶株式会社製）などのウェランガム、Ｋ１Ａ１１２、Ｋ７Ｃ２４３３（以上、三晶株式会社製）などのラムザンガム、ジャガー８１１１、同８６００、同ＨＰ−８、同ＨＰ−６０、ＣＰ−１３（以上、三晶株式会社製）などのグァーガム類、プルラン（水溶性多糖類、株式会社林原商事製）、レオジック２５０Ｈ（日本純薬株式会社製）、ジュンロンＰＷ１１１（日本純薬株式会社製）、Ｕジェリ・ＣＰ（昭和電工株式会社製）などの架橋型アクリル酸樹脂、カーボポール９３４、カーボポール９４０、カーボポール９４１、カーボポール９８０、カーボポール９８１、カーボポール１３４２、カーボポール１３８２、カーボポール２９８４、カーボポール５９８４、カーボポールＥＴＤ２０２０、カーボポールＥＴＤ２０５０、ＥＺ−１、ペミュレンＴＲ−１、ペミュレンＴＲ−２（ルーブリゾール社製、アメリカ合衆国）などのアクリル酸メタクリル酸アルキル共重合体、ＧＸ−２０５、ＮＡ−０１０（昭和電工株式会社製）などのＮ−ビニルアセトアミド重合架橋物、などが挙げられる。
これらの粘度調整剤は、単独、あるいは２種以上混合して使用しても良い。
【００３８】
上記成分の他に必要に応じて、潤滑剤、防腐剤、防黴剤、防錆剤、消泡剤、などの添加剤を併用して用いることができる。
これらの、潤滑剤、防腐剤、防黴剤、防錆剤、消泡剤は、単独、あるいは２種以上混合して使用しても良い。
【００３９】
筆記時の筆記感を向上させるために、潤滑剤を使用できる。潤滑剤の具体例としては、ポリエチレングリコール、ポリオキシエチレングリコール、ポリオキシプロピレングリコール、オレイン酸やアシルアミノ酸、アシルグルタミン酸、タウリン、メチルタウリン、リン酸エステル等のアルカリ金属塩やアミン塩や、ヒマシ油、硬化ヒマシ油、ポリオキシエチレン硬化ヒマシ油、ポリエチレングリコール脂肪酸エステル、水溶性潤滑油、微粒子アルミナ、硫化モリブデン、Ｎ−ヤシ油脂肪酸アシル−Ｌグルタミン酸、Ｎ−ラウロイル−Ｌ−グルタミン酸、Ｎ−ステアロイル−Ｌ−グルタミン酸、Ｎ−ヤシ油脂肪酸アシル−Ｌ−グルタミン酸ナトリウム、Ｎ−ラウロイル−Ｌ−グルタミン酸ナトリウム、Ｎ−ミリストイル−Ｌ−グルタミン酸カリウム、Ｎ−ミリストイル−Ｌ−グルタミン酸ナトリウム、Ｎ−アシル−Ｌ−グルタミン酸ナトリウム、Ｎ−ステアロイル−Ｌ−グルタミン酸ナトリウム、Ｎ−ヤシ油脂肪酸アシル−Ｌグルタミン酸トリエタノールアミン液、ラウロイル−Ｌ−グルタミン酸トリエタノールアミン液、Ｎ−ヤシ油脂肪酸アシル−Ｌ−グルタミン酸カリウムなどのアシルグルタミン酸とその金属塩やアミン塩、ラウリルリン酸、ポリオキシエチレンラウリルエーテルリン酸、ポリオキシエチレンオレイルエーテルリン酸、ポリオキシエチレンステアリルエーテルリン酸、ポリオキシエチレンアルキル（アルキル鎖の炭素数１２以上１５以下）エーテルリン酸などのアルキルリン酸やポリオキシエチレンアルキルリン酸、などが挙げられる。
【００４０】
防腐剤、防黴剤の具体例としては、デヒドロ酢酸ナトリウム、ベンゾイソチアゾリン−３−オン、オマジンナトリウム、安息香酸ナトリウム、モルホリン、モルホリン誘導体、などが挙げられる。
【００４１】
インキ組成物のｐＨを調整するために、ｐＨ調整剤を用いることができる。ｐＨ調整剤の具体例としては、水酸化ナトリウム、水酸化リチウム、モノエタノールアミン、ジエタノールアミン、トリエタノールアミン、アミノメチルプロパンジオール、オキシエチレンアルキルアミン、ポリオキシエチレンアルキルアミンなどの塩基性物質や、酢酸、塩酸、硝酸、硫酸、などの酸性物質が挙げられる。これらのｐＨ調整剤は、単独、あるいは２種以上混合して使用しても良い。２種類以上のｐＨ調整剤を併用することで、ｐＨの微調整が可能となったり、経時におけるｐＨ変化を抑制しやすくなるため好ましい。
【００４２】
筆記具用水性インキ組成物を製造するには、上記の顔料及び／又は顔料分散体と、染料とから選ばれる１種もしくは２種以上の着色剤と、水及び／又は有機溶剤と、分散剤と、をホモミキサー等の分散機にて充分に混合攪拌した後、他の添加剤、例えば粘度調整剤や、ｐＨ調整剤、色調調整のための染料、潤滑剤等を混合し、更に均一になるまで溶解、混合することで得られるが、場合によって混合したインキをさらに分散機にて分散したり、得られたインキを濾過や遠心分離機に掛けて粗大粒子や不溶解成分を除いたりすることは何ら差し支えない。
【００４３】
以下、実施例により本発明を更に具体的に説明するが、本発明は、これらの実施例によって限定されるものではない。
【実施例】
【００４４】
表１、２に示した材料にて、実施例１〜１４、比較例１〜７のインキを、プロペラを用いて攪拌し作製した。作製手順としては、水を添加し、プロペラで５分攪拌した後に、その他の添加剤を添加し、プロペラで３０分攪拌して水溶性インキ組成物を得た。
【００４５】
【表１】
2018178113.tif 000002
【００４６】
【表２】
2018178113.tif 000003
【００４７】
表１、２に示した各材料は下記のものを使用した。
顔料水分散体（１）：ＦＵＪＩ  ＳＰ  ＢＬＡＣＫ  ８０４１（黒色顔料水分散体、固形分２０％、冨士色素株式会社製）
顔料水分散体（２）：ＦＵＪＩ  ＳＰ  ＲＥＤ  ５６５７（赤色顔料水分散体、固形分２５％、冨士色素株式会社製）
顔料水分散体（３）：ＦＵＪＩ  ＳＰ  ＢＬＵＥ  ６４６７（青色顔料水分散体、固形分２５％、冨士色素株式会社製）
着色樹脂水分散体（１）：ルミコールＮＫＷ−３２０７Ｅ（着色樹脂水分散体、固形分３７％、日本蛍光株式会社製）
染料水溶液（１）：Ｗａｔｅｒ  ＢＬＡＣＫ  ２５６Ｌ（黒色染料水溶液、オリヱント化学工業株式会社製）
赤色染料（１）：Ｗａｔｅｒ  Ｒｅｄ  ２（赤色染料、オリヱント化学工業株式会社製）
グリセリルグルコシド水溶液（１）：αＧＧ（高濃度αグリセリルグルコシド水溶液、αグリセリルグルコシド６０％水溶液、株式会社ＪＴＳ製）
グリセリルグルコシド水溶液（１）：αＧＧＬ（低濃度αグリセリルグルコシド水溶液、αグリセリルグルコシド２０％水溶液、株式会社ＪＴＳ製）
保湿剤（１）：ＧＥＮＥＮＣＡＲＥ  ＯＳＭＳ  ＢＡ（トリメチルグリシン、ＤｕＰｏｎｔ  Ｉｎｄｕｓｔｒｉａｌ  Ｂｉｏｓｃｉｅｎｃｅ／ダニスコジャパン株式会社製）
保湿剤（２）：アマルティＭＲ（マルチトール、三菱商事フードテック株式会社製）
保湿剤（３）：マクビオブライドＭＧ−１０Ｐ（ポリオキシプロピレンメチルグルコシド、日油株式会社製）
樹脂エマルション（１）：ＰＤＸ−７４３０（スチレンアクリル樹脂エマルション、固形分３８重量％、ＢＡＳＦジャパン株式会社製）
ワックス粒子分散液（１）：ＡＱＵＡＣＥＲ  ５１５（酸化高密度ポリエチレンワックス粒子分散液、固形分３５重量％、ビックケミー・ジャパン株式会社製）
活性剤（１）：ＮＩＫＫＯＬ  Ｄｅｃａｇｌｙｎ  １−ＳＶ（ノニオン界面活性剤、モノステアリン酸デカグリセリル、日光ケミカルズ株式会社製）
活性剤（２）：エマール  ２Ｆ  ペースト（アニオン界面活性剤、ラウリル硫酸ナトリウム、花王株式会社製）
活性剤（３）：メガファック  Ｆ４１０（フッ素系アニオン界面活性剤、パーフルオロアルキル基含有カルボン酸塩、ＤＩＣ株式会社製）
光堅牢度向上剤（１）：Ｉｓｏｍａｌｔ（糖アルコール、６−Ｏ−α−Ｄ−グルコピラノシル−Ｄ−ソルビットと１−Ｏ−α−Ｄ−グルコピラノシド−Ｄ−マンニトールの混合物、ＤＧＦ社製、仏国）
【００４８】
試験用筆記具の作製
実施例１〜１４、比較例１〜７の筆記具用水性インキ組成物を、市販の水性マーキングペン（ノック式ハンディラインＳ、製品符号ＳＸＮＳ１５、ぺんてる株式会社製、ペン先の材質：ポリエステル繊維、ペン先の気孔率：６０％、ペン先の材質の繊維の太さ：３デニール）と同構造の筆記具に１．０ｇ充填し、ペン先を取り付け、ノックをしてペン先を軸筒内に収納して密閉状態とし、その後２時間静置してペン先までインキを十分に浸透させた。
【００４９】
ペン先乾燥の抑制効果確認試験１
上記の試験用筆記具を各実施例、比較例あたり５本ずつ用意し、温度２５℃湿度６５％の環境下で、ペン先を露出した状態で横向きで放置して、１２０分後に手書きで筆記し、筆跡に著しいカスレが発生するかどうかを確認した。結果を表１、２に記載した。
【００５０】
ペン先乾燥の抑制効果確認試験２（低湿度環境下）
上記の試験用筆記具を用いて、温度２５℃湿度２０％の環境下で、ペン先を露出した状態で横向きで放置して、３０分後、６０分後、９０分後、１２０分後ごとに手書きで筆記し、筆跡に著しいカスレが発生するまでの時間を筆記可能な時間とした。表１、２には、何分後にカスレが発生したかを記載した（単位「分」）。
【００５１】
筆跡乾燥確認試験
上記の試験用筆記具を各実施例、比較例あたり５本ずつ用意し、温度２５℃湿度６５％の環境下にて、筆記用紙（アイベストＷ（米坪３１０ｇ／ｍ２）、日本製紙株式会社製）に手書きで３０ｃｍの直線を筆記した後、筆記用紙紙面上の跡を指で横断するように１回擦ることを１秒ごとに繰り返し、筆跡が伸びなくなる時間を乾燥時間とした。表１、２には、乾燥時間を記載した（単位「秒」）。
【００５２】
低温環境下での筆記安定性確認試験
上記の試験用筆記具を用いて、ペン先を収納した状態で温度−５℃の低温環境下で５時間横向きで放置した後、温度−５℃の低温環境下で手書きで筆記し、筆跡のカスレの有無を確認した。結果を表１、２に記載した。
○：筆跡にカスレなし
×：筆跡にカスレが発生した
【００５３】
結果を表１、２に示す。
【００５４】
実施例１〜１４の筆記具用水性インキ組成物は、水と着色剤とグリセリルグルコシドを含有しているので、ペン先を低湿度環境下でペン先を外気にさらしていてもペン先の溶剤分の蒸発を抑制し、水性インキ組成物中の着色剤等固形分の濃縮が起こりにくいため、インキの追従性を維持することができるためペン先乾燥が抑制でき、ペン先乾燥を抑制しながらもインキの粘度を低粘度化し、筆記後の筆跡の紙への浸透性が優れるため着色剤が紙面に速やかに浸透するため筆記直後に筆跡を擦っても伸びることがなく、低温環境下において水とグリセリルグルコシドの存在によって着色剤等の固形分の存在に関わらずペン先でのインキ追従性を維持することができるため低温環境下での筆記安定性に優れるものを得ることができた。
【００５５】
これに対して、比較例１、２は特許文献１に記載の発明（水性インキ組成物）であるが、比較例１はペン先乾燥を十分抑制しようとグリセリンの添加量を多くしたことでインキの粘度が上昇してしまうと同時に、筆記時の筆記用紙表面の筆跡上にインキが長時間留まり続けてしまうため筆跡乾燥性が悪かった。
比較例２は、筆跡乾燥性を良くしようとグリセリンの添加量を少なくしたが、ペン先乾燥を抑制することができなかった。
また、温度−５℃の低温環境下で筆記すると、インキの追従性が悪く、筆跡にカスレが生じてしまった。
比較例３、４、５はそれぞれ特許文献２、３、４に記載の発明（水性インキ組成物）であるが、ボールペンでは効果の得られた添加剤であったり、マーキングペンにおいて従来の試験環境下ではペン先乾燥抑制効果が得られた添加剤であっても、マーキングペンに適用すると、温度２５℃湿度２０％の低湿度環境下では十分なペン先乾燥抑制効果が得られなかった。
また、温度−５℃の低温環境下で筆記すると、インキの追従性が悪く筆跡にカスレが生じてしまう。
比較例６は特許文献５に記載の発明（水性インキ組成物）であるが、筆跡上のインキの紙への浸透性が優れるものの、ペン先乾燥の抑制効果や温度−５℃の低温環境下での筆記安定性を得ることはできなかった。
比較例７は特許文献６に記載の発明（水性インキ組成物）であるが、ペン先乾燥の抑制効果と、筆跡上のインキの紙への浸透性は得られるものの、低湿度環境下において十分なペン先乾燥の抑制効果や低温環境下での筆記安定性が得られているとは言えない。
【００５６】
以上、詳細に説明したように、本発明は、ペン先乾燥の抑制効果に優れ、筆跡の紙への浸透性に優れ、低温環境下での筆記安定性に優れた筆記具用水性インキ組成物に関するものである。
【００５７】
以上、本発明の実施形態について説明したが、本発明は上述した実施形態に限定されることはなく、上述した実施形態に変形を加えた形態や、これらの形態を適宜組み合わせた形態も含む。
【００５８】
本明細書において、「同一」、「等しい」及び「均質」等の物事が等しい状態であることを表す表現は、厳密に等しい状態を表すのみならず、公差、若しくは、同じ機能が得られる程度の差が存在している状態も表すものとする。
また、本明細書において、一の構成要素を「備える」、「含む」、又は、「有する」という表現は、他の構成要素の存在を除外する排他的な表現ではない。